(57)【要約】      （修正有）【課題】金属ケースの腐食を防止できるケースのリベット締め構造を提供する。【解決手段】ケースのリベット締め構造は、第一板体１１と、前記第一板体に取り付けられる第二板体１２と、複数のリベットと、２つのガスケット３０と、を備える。前記リベットは、ヘッド部２１及び締め付け部を備え、前記締め付け部は、互いに連接している第一締め付け体２３及び第二締め付け体２４を備え、前記締め付け部は、前記第二板体を貫通し且つ一部が前記第一板体内に位置し、前記第二締め付け体は、前記第一板体内に緊密に嵌め込まれ、前記２つのガスケットは、前記第一板体及び前記第二板体における前記リベットに対応する位置に成形されて、前記第二締め付け体及び前記ヘッド部をそれぞれ密封する。【選択図】図４
0003192696.tif 000002
【実用新案登録請求の範囲】
【請求項１】
第一板体と、前記第一板体に取り付けられる第二板体と、複数のリベットと、２つのガスケットと、を備え、
前記リベットは、ヘッド部及び締め付け部を備え、前記締め付け部は、互いに連接している第一締め付け体及び第二締め付け体を備え、前記締め付け部は、前記第二板体を貫通し且つ一部が前記第一板体内に位置し、前記第二締め付け体は、前記第一板体内に緊密に嵌め込まれ、
前記２つのガスケットは、前記第一板体及び前記第二板体における前記リベットに対応する位置に成形されて、前記第二締め付け体及び前記ヘッド部をそれぞれ密封することを特徴とするケースのリベット締め構造。
【請求項２】
前記締め付け部は、前記ヘッド部の一方の端面から延伸して形成され、前記第二締め付け体と前記第一締め付け体との連接部には、環状の凹溝が形成されていることを特徴とする請求項１に記載のケースのリベット締め構造。
【請求項３】
前記第一板体には、複数の貫通孔が設けられており、前記第二板体の前記貫通孔に対応する位置には、複数の階段孔が設けられており、前記第一締め付け体及び前記ヘッド部は、前記階段孔内に挿入され、前記第二締め付け体は、前記貫通孔内に緊密に嵌め込まれ、前記貫通孔の内壁は変形されて、前記凹溝内に係合されることを特徴とする請求項２に記載のケースのリベット締め構造。
【請求項４】
前記第一締め付け体の外周面には、複数の鋸歯状のリブが並列して設けられていることを特徴とする請求項１から３のいずれか一項に記載のケースのリベット締め構造。
【考案の詳細な説明】
【技術分野】
【０００１】
本考案は、ケースのリベット締め構造に関するものである。
【背景技術】
【０００２】
現在、携帯電話機等の電子製品のサイズは益々大きく且つ薄くなっている。従って、電子製品の構造的強度を高めるために、異なる材質の板体を組み合せてなるケースを採用して、電子製品を製造する。また、異なる金属材料の複合体には電位差が生じるため、表面処理を行って金属ケースの表面の腐蝕を防止する。しかし、リベット締めの方式によって２種類の金属ケースを連接する場合、度々金属材料の表面を損傷してしまう。また、リベット用のボルトの表面及びボルトとケースとの接触面は、空気及び水分等によって腐食され易く、電子製品のケースの使用寿命に影響を与える。
【考案の概要】
【考案が解決しようとする課題】
【０００３】
本考案は、金属ケースの腐食を防止できるケースのリベット締め構造を提供することを目的とする。
【課題を解決するための手段】
【０００４】
上記の課題を解決するために、本考案に係るケースのリベット締め構造は、第一板体と、前記第一板体に取り付けられる第二板体と、複数のリベットと、２つのガスケットと、を備える。前記リベットは、ヘッド部及び締め付け部を備え、前記締め付け部は、互いに連接している第一締め付け体及び第二締め付け体を備え、前記締め付け部は、前記第二板体を貫通し且つ一部が前記第一板体内に位置し、前記第二締め付け体は、前記第一板体内に緊密に嵌め込まれ、前記２つのガスケットは、前記第一板体及び前記第二板体における前記リベットに対応する位置に成形されて、前記第二締め付け体及び前記ヘッド部をそれぞれ密封する。
【考案の効果】
【０００５】
従来の技術と異なり、本考案に係るケースのリベット締め構造は、リベットを介して２つの板体を一体に固定連接すると共に、リベットの両端に対応してガスケットをそれぞれ射出成形して、ガスケットを介してリベットを前記２つの板体内に密封する。これにより、本考案は、外部の酸素及び水分等によってリベットが腐食するのを効果的に防止することができる。
【図面の簡単な説明】
【０００６】
【図１】本考案の実施形態に係るケースのリベット締め構造の分解斜視図である。
【図２】図１に示したケースのリベット締め構造に使用するリベットの拡大図である。
【図３】図１に示したケースのリベット締め構造の組立斜視図である。
【図４】図３に示したケースのリベット締め構造のＩＶ−ＩＶ線に沿った断面図である。
【考案を実施するための形態】
【０００７】
図１及び図４に示すように、本考案の実施形態に係るケースのリベット締め構造は、携帯電話機等の電子装置の複数のケースを一体に組み立てるか又は連接するために用いられる。本実施形態において、前記ケースのリベット締め構造は、ケース１０、複数のリベット２０及び２つのガスケット３０を備える。ケース１０は、電子装置の電子素子等を積載するために用いられて、第一板体１１及び第二板体１２を含む。第一板体１１及び第二板体１２は、２種類の異なる金属材料（例えば、ステンレス及びアルミニウム）からそれぞれ製造され、且つ表面はそれぞれ耐腐食加工処理されている。第一板体１１は、第一表面１１１及び第一板体１１を貫通するように設けられた複数の貫通孔１１２を備える。第二板体１２は、第一板体１１の第一表面１１１に装着される。第二板体１２には、複数の貫通孔１１２の位置にそれぞれ対応している複数の階段孔１２１が設けられている。
【０００８】
リベット２０は、ヘッド部２１及び締め付け部２２を含む。締め付け部２２は、ヘッド部２１の一方の端面から延伸して形成された略円柱体であり、且つ第一締め付け体２３及び第二締め付け体２４を含む。第一締め付け体２３の直径は、第二締め付け体２４の直径より大きい。第二締め付け体２４と第一締め付け体２３との連接部には、円周方向に沿って環状の凹溝２５が形成されている。第一締め付け体２３の外周には、複数の鋸歯状のリブ２６が並列して設けられている。ヘッド部２１及び第一締め付け体２３は、階段孔１２１内に挿入されて装着される。ヘッド部２１のサイズは、階段孔１２１のヘッド部２１を収容する部分のサイズより若干小さい。第二締め付け体２４の直径は、貫通孔１１２の直径より若干大きい。
【０００９】
図３に示すように、第二板体１２を第一板体１１の第一表面１１１に取り付ける際、リベット２０の締め付け部２２を階段孔１２１及び貫通孔１１２内に部分的に挿入した後、鋲打ち機等を介してリベット２０のヘッド部２１をプレスして、締め付け部２２の第二締め付け体２４を貫通孔１１２内に完全に嵌め込む。この際、第二締め付け体２４の外周の直径が貫通孔１１２の直径より若干大きいので、第二締め付け体２４は貫通孔１１２内に緊密に嵌め込まれ、外部からの圧力及び第二締め付け体２４の押す力によって、貫通孔１１２は変形する。また、貫通孔１１２の内壁の一部は、第二締め付け体２４の凹溝２５内に押し出される。これにより、締め付け部２２は、第二板体１２内に係合されて固定される。ヘッド部２１及び第一締め付け体２３は、階段孔１２１内に挿入されて係止される。第二板体１２及び第一板体１１は、複数のリベット２０によって一体に連接して固定される。
【００１０】
２つのガスケット３０は、樹脂からなり、射出成形により第一板体１１の各貫通孔１１２の第二締め付け体２４が露出する一端、及び第二板体１２の各階段孔１２１のヘッド部２１が装着された一端を密封している。具体的には、リベット締めされた後のケース１０に対して溶融樹脂を射出して、液体の溶融樹脂を貫通孔１１２の第二締め付け体２４が露出している一端及び階段孔１２１内に流入させて、階段孔１２１及び貫通孔１１２のそれぞれとリベット２０との間の隙間を埋める。その後、所定時間冷却して、上記のガスケット３０を形成する。ガスケット３０は、リベット２０をケース１０内に留め、且つ階段孔１２１及び貫通孔１１２を密封する。
【００１１】
本考案に係るケースのリベット締め構造は、リベット２０を介して第一板体１１及び第二板体１２を一体に固定連接すると共に、リベット２０の両端に対応してガスケット３０をそれぞれ射出成形して、ガスケット３０を介してリベット２０を第一板体１１及び第二板体１２内に密封する。従って、本考案は、外部の酸素及び水分等によりリベット２０が腐食するのを効果的に防止することができる。
【符号の説明】
【００１２】
１０  ケース
１１  第一板体
１１１  第一表面
１１２  貫通孔
１２  第二板体
１２１  階段孔
２０  リベット
２１  ヘッド部
２２  締め付け部
２３  第一締め付け体
２４  第二締め付け体
２５  凹溝
２６  リブ
３０  ガスケット
【図１】
0003192696.tif 000003
【図２】
0003192696.tif 000004
【図３】
0003192696.tif 000005
【図４】
0003192696.tif 000006